(57)【特許請求の範囲】
【請求項１】
製造機械の機械識別名毎に、該製造機械が加工可能な性能を示す加工内容、加工機械種類、加工寸法及び加工精度を含む性能データを蓄積した機械別性能データベースと、
検索鍵として、ＣＡＤ図面に記載された物の幾何公差記号、加工寸法及び加工精度を含む規格データが入力される手段と、
幾何公差記号毎に１つ以上の加工機械種類が対応付けられたテーブルを用いて、前記規格データに含まれた前記幾何公差記号から１つ以上の加工機械種類を選定する加工工程選定手段と、
前記機械別性能データベースを用いて、前記加工工程選定手段によって選定された前記加工機械種類と、前記規格データに含まれる前記加工寸法及び加工精度とを許容する１つ以上の前記機械識別名を検索する検索手段と、
検索結果として、前記機械識別名を出力する手段と
を有することを特徴とする、図面に記載された物を製造することが可能な製造機械を検索する検索装置。
【請求項２】
標準部品毎に前記規格データを蓄積した標準部品データベースと、
前記標準部品データベースを用いて、追加工のために、前記規格データ及び特記事項を許容する前記標準部品を検索する標準部品データ抽出手段とを有し、
前記検索手段は、前記標準部品を追加工するため必要な１つ以上の前記機械識別名を検索することを特徴とする請求項１に記載の検索装置。
【請求項３】
前記検索鍵として、前記規格データと共に、納入数、希望納期、希望価格、納入検査条件及び特記事項である発注側条件データを受信し、
前記機械別性能データベースは、前記性能データと共に、納入可能数、使用可能期間、希望価格、納入検査条件及び特記事項である製造側条件データを、前記機械識別名毎に蓄積しており、
前記検索手段は、更に前記発注側条件データを許容する前記製造側条件データを有する機械識別名を検索することを特徴とする請求項１又は２に記載の検索装置。
【請求項４】
前記発注側条件データにおける時間的条件を満たすように、前記加工工程毎の時間的条件を調整する加工工程管理手段を更に有し、前記検索手段が前記加工工程毎の前記機械識別名を検索することを特徴とする請求項３に記載の検索装置。
【請求項５】
前記機械別性能データベースは、更にグループ名毎に、複数の前記機械識別名を含み、該グループ名毎に製造可能な性能データを蓄積しており、前記検索手段は、１つ以上の前記グループ名を検索することを特徴とする請求項１から４のいずれか１項に記載の検索装置。
【請求項６】
前記グループ名は、前記製造機械を所持する製造業者の識別名であることを特徴とする請求項５に記載の検索装置。
【請求項７】
前記機械別性能データベースは、更に１つのグループ名が複数の前記グループ名を含み、前記グループを階層的に構成することを特徴とする請求項５又は６に記載の検索装置。
【請求項８】
前記検索手段の検索鍵となるデータと、検索結果となるデータとを１つの検索識別子で管理する履歴データベースを更に含み、
検索結果と共に前記検索識別子を出力することができ、
前記検索識別子が入力された際に、前記履歴データベースを用いて、過去に検索した情報を前記検索識別子で検索することを特徴とする請求項１から７のいずれか１項に記載の検索装置。
【請求項９】
製造機械の機械識別名毎に、該製造機械が加工可能な加工内容、加工機械種類、加工寸法及び加工精度を含む性能データを蓄積した機械別性能蓄積部と、
検索鍵として、ＣＡＤ図面に記載された物の幾何公差記号、加工寸法及び加工精度を含む規格データが入力する手段と、
幾何公差記号毎に１つ以上の加工機械種類が対応付けられたテーブルを用いて、前記規格データに含まれた前記幾何公差記号から１つ以上の加工機械種類を選定する加工工程選定手段と、
前記機械別性能データベースを用いて、前記加工工程選定手段によって選定された前記加工機械種類と、前記規格データに含まれる前記加工寸法及び加工精度とを許容する１つ以上の前記機械識別名を検索する検索手段と、
検索結果として、前記機械識別名を出力する手段と
して情報処理装置を機能させることを特徴とする、図面に記載された物を製造することが可能な製造機械を検索するプログラム。
【発明の詳細な説明】
【０００１】
【発明の属する技術分野】
本発明は、図面に記載された物を製造することが可能な製造機械を検索する検索装置及びプログラムに関する。
【０００２】
【従来の技術及び発明が解決しようとする課題】
従来、図面に記載された物の製造を依頼する場合、発注者（特に親企業）は、当該物を製造する能力を十分に有する専属の製造業者（特に下請け企業）に対して製造を依頼していた。これは、１つの親企業と複数の下請け企業とからなる閉鎖的な関係が築かれることになっていた。
【０００３】
発注者においては、製造業者を選択する上で、当該製造業者が当該物を製造する能力を有するか否か、又は当該製造業者が特別な要求に対応できるか否か等は大きな問題であった。発注者が、たとえ当該物をＣＡＤ(Computer Aided Design)図面で設計した場合でも、その物を実際に製造する能力を製造業者が有するか否かは、当該製造業者が所有する製造機械にも影響されるので、かなり詳細な技術的な打ち合わせを必要としていた。
【０００４】
一方、製造業者においては、製造能力が高い製造機械を所有しているにもかかわらず、その製造能力を具体的に公表することが難しいために、他の発注者からの製造依頼を受けることが難しかった。
【０００５】
また、たとえ製造業者が所有する製造機械の名称又は性能等を、インターネットを通じて公表することができたとしても、発注者側においては、図面に記載した当該物を製造することができるか否かの判断は、非常に難しい。その一つの要因には、従来の検索装置は、検索鍵として、キーワード即ち「言葉」を指定するものであることによる。即ち、発注者側において、製造機械を検索するためには、検索鍵として種々の条件を指定する必要があり、実際問題として、このような検索を行うことは不可能であった。
【０００６】
そこで、本発明は、ＣＡＤ図面に記載された物を製造することが可能な製造機械を検索する検索装置及びプログラムを提供することを目的とする。
【０００７】
【課題を解決するための手段】
従って、本発明による検索装置は、製造機械の機械識別名毎に、該製造機械が加工可能な加工内容、加工機械種類、加工寸法及び加工精度を含む性能データを蓄積した機械別性能データベースと、検索鍵として、ＣＡＤ図面に記載された物の幾何公差記号、加工寸法及び加工精度を含む規格データが入力される手段と、幾何公差記号毎に１つ以上の加工機械種類が対応付けられたテーブルを用いて、規格データに含まれた幾何公差記号から１つ以上の加工機械種類を選定する加工工程選定手段と、機械別性能データベースを用いて、加工工程選定手段によって選定された加工機械種類と、規格データに含まれる加工寸法及び加工精度とを許容する１つ以上の機械識別名を検索する検索手段と、検索結果として、機械識別名を出力する手段とを有する。これにより、ＣＡＤ図面に記載された物を製造することが可能な製造機械を検索する検索装置を提供することができる。このように、ＣＡＤデータそのものを検索鍵として製造機械を検索することができれば、発注者における負担はかなり改善されることになる。幾何公差とは、対象物の形状偏差、姿勢偏差、位置偏差及び振れ等の総称であり、ＣＡＤ図面に実際に記載されている情報である。
【０００９】
本発明の他の実施形態によれば、標準部品毎に規格データを蓄積した標準部品データベースと、標準部品データベースを用いて、追加工のために、規格データ及び特記事項を許容する標準部品を検索する標準部品データ抽出手段とを有し、検索手段は、標準部品を追加工するため必要な１つ以上の機械識別名を検索することも好ましい。これにより、標準部品からの追加工を可能にするために、作業工程を極力少なくすることができる。
【００１０】
本発明の他の実施形態によれば、検索鍵として、規格データと共に、納入数、希望納期、希望価格、納入検査条件及び特記事項である発注側条件データを受信し、機械別性能データベースは、性能データと共に、納入可能数、使用可能期間、希望価格、納入検査条件及び特記事項である製造側条件データを、機械識別名毎に蓄積しており、検索手段は、更に発注側条件データを許容する製造側条件データを有する機械識別名を検索することも好ましい。これにより、発注者においては、ＣＡＤ図面から得られる条件以外の条件を製造業者に要求することができ、製造業者において、受注したくないような条件の受注を避けることができる。
【００１１】
本発明の他の実施形態によれば、発注側条件データにおける時間的条件を満たすように、加工工程毎の時間的条件を調整する加工工程管理手段を更に有し、検索手段が加工工程毎の機械識別名を検索することも好ましい。これにより、発注者側としては、当該物について希望の納期に納入することができる製造業者名を検索することが可能となる。また、複数の加工工程を必要とするものであれば、それぞれの加工工程が時間的に重なり合うことがないよう管理されている。従って、このような検索装置は、実質的に時間的な工程管理を行うことが可能となる。
【００１２】
本発明の他の実施形態によれば、機械別性能データベースは、更にグループ名毎に、複数の機械識別名の性能データを蓄積しており、該グループ毎に製造可能な性能データを蓄積しており、検索手段は、１つ以上のグループ名を検索することも好ましい。このグループ名は、製造機械を所持する製造業者の識別名であることも好ましい。また、機械別性能データベースは、更に複数のグループを上位層のグループとし、階層的にグループを構成することも好ましい。これにより、検索結果は、製造機械名ではなく、その物を製造することが可能な製造業者名となる。
【００１３】
本発明の他の実施形態によれば、検索手段の検索鍵となるデータと、検索結果となるデータとを１つの検索識別子で管理する履歴データベースを更に含み、検索結果と共に検索識別子を出力することができ、検索識別子が入力された際に、履歴データベースを用いて、過去に検索した情報を検索識別子で検索することも好ましい。この検索識別子を用いることにより、発注者は、過去の検索履歴を容易に検索することが可能となる。
【００１４】
本発明による図面に記載された物を製造することが可能な製造機械を検索するプログラムによれば、製造機械の機械識別名毎に、該製造機械が加工可能な加工内容、加工機械種類、加工寸法及び加工精度を含む性能データを蓄積した機械別性能蓄積部と、検索鍵として、ＣＡＤ図面に記載された物の幾何公差記号、加工寸法及び加工精度を含む規格データが入力される手段と、幾何公差記号毎に１つ以上の加工機械種類が対応付けられたテーブルを用いて、規格データに含まれた幾何公差記号から１つ以上の加工機械種類を選定する加工工程選定手段と、機械別性能データベースを用いて、加工工程選定手段によって選定された加工機械種類と、規格データに含まれる加工寸法及び加工精度とを許容する１つ以上の機械識別名を検索する検索手段と、検索結果として、機械識別名を出力する手段として情報処理装置を機能させる。これにより、既存のパーソナルコンピュータを本発明による検索装置として実現することが可能となる。
【００１５】
【発明の実施の形態】
以下では、図面を用いて、本発明の実施形態を詳細に説明する。
【００１６】
図１は、本発明による検索装置の構成図である。検索装置１は、加工工程選定手段１０と、標準部品抽出手段１１と、検索手段１２と、検索履歴管理手段１３と、加工工程管理手段１４とを有し、機械別性能データベース１５と、標準部品データベース１６と、履歴データベース１７とを用いる。
【００１７】
図２は、以下で説明を容易にするための、ＣＡＤ図面の例である。この図面には、円柱部品の上に平面部分を有し、軸方向中心に穴部分を有したものである。
【００１８】
図３は、選択される加工内容等の分類のテーブルである。加工内容としては、大きく、切断、曲げ、切削（直線／円柱／穴あけ）、打ち抜き(プレス)、自由切断（レーザ加工／ワイヤ放電加工）等に分類される。
【００１９】
図４は、ＣＡＤ図面から抽出された幾何公差記号と、加工内容及び加工機械の種類とが対応つけられたテーブルである。基本的に加工内容は、直線（平面）、円、曲率、穴あけ等があり、それぞれに幾何公差記号が割り当てられている。加工機械を選択する最大の要素は、幾何公差記号及び加工可能寸法（最大/最小、機械上）である。
【００２０】
図１によれば、端末２は、既存のＣＡＤシステムであり、インターネット３を介して検索装置１へアクセスすることができる。端末２は、検索鍵としてＣＡＤ図面に記載された物の検索データを検索装置１へ送信する。その検索データは、ＣＡＤデータから自動的に読み出される規格データと、発注者が他の条件として指定することができる発注側条件データとからなる。
【００２１】
規格データとしては、幾何公差記号、加工寸法及び加工精度がある。これら規格データは、国内で規格化されたものであるが、国によってはその記号等が異なるために、国別情報が必要となる場合がある。
【００２２】
図２によれば、ＣＡＤ図面から抽出される規格データとして、以下のようなものがある。
（規格１）径はφ７１２であり、長さが１１７５．５である。
（規格２）平面公差のサイズは６００×４５０であり、その加工精度は±０．０８である。
（規格３）軸方向に２００の穴が空いている（φ２００Ｈ５）。
（規格４）円柱部分がある（φ５００．００ｈ５）。
【００２３】
図１によれば、端末２から送信されたこれら規格データが、検索装置１で受信され、加工工程選定手段１０へ通知される。加工工程選定手段１０は、図４のテーブルを用いて、これら受信した規格データ（規格２〜４）から、以下のような加工内容及び加工機械の種類を選定する。
（規格２）平面度公差（平行四辺形の記号）を出す必要があるので、平面加工を必要とし、フライス盤又は研削盤を選択する必要がある。
（規格３）穴あけ加工（φ２００Ｈ５の記号）が必要となるので、加工機械としては、ドリル加工機械又はマシニングセンタが必要となる。
（規格４）円柱加工（φ５００．００ｈ６の記号）が必要となるので、加工機械としては、マシニングセンタ又は旋盤が必要となる。
【００２４】
尚、ＣＡＤ図面に表示されている物は最終的な形状であるために、当該物を完成させるためには、複数の加工機械を使用しなければ完成しない場合がほとんどである。従って、複数の加工機械を用いる複数の加工工程が必要となる。
【００２５】
図５は、図２の物を製造するための加工工程の流れ図である。前述の規格データを満たす加工工程として、以下のものが選択される。
（工程１）規格１に対応して、原材料を、径７１２及び長さ１１７５．５のサイズの円柱部品に加工する。
（工程２）規格２に対応して、部品の上部を平面加工するために、±０．０８の加工精度の条件を満たすようフライス盤を選択する必要がある。もちろん、前述のテーブル寸法の条件を満たすフライス盤でなければならない。更に詳細には、この加工精度を実現するために、当該加工機械の刃物を研ぐときに用いられる砥石の選択等も必要となる場合もある。
（工程３）規格３に対応して、穴あけ加工をするために、前述のテーブル寸法の条件を満たすようマシニングセンタを選択する必要がある。
（工程４）規格４に対応して、円柱加工をするために、前述のテーブル寸法の条件を満たすようマシニングセンタを選択する必要がある。
【００２６】
発注側条件データとしては、例えば、当該物に対する発注者の、納入数、希望納期、希望価格、納入検査条件及び特記事項等の希望情報である。発注者としては、当該物を製造する能力を有する製造機械を所有する製造業者であっても、納入数に満たない数しか製造できない場合は、発注することはできない。また、指定した希望納期及び希望価格を満たさない製造業者であっても、発注することはできない。その他、発注者が付帯したい条件として、個数（数量、加工点数）、最終処理、国別及び業種（機械／電気／建築）等を追加指定することが可能である。
【００２７】
標準部品抽出手段１１は、受信した規格データ及び特記事項等に基づいて、標準部品データベース１６を用いて、規格データを許容する標準部品を検索する。標準部品規格データベース１６は、標準部品毎に、該標準部品に相当する規格データを蓄積したものである。
【００２８】
１つの物を製造する場合、原材料から順に複数の加工工程を経て製造される全加工の場合と、ある標準部品から１つ以上の加工工程を経て製造される追加工の場合とがある。例えば、工程１で製造される円柱加工のみが既に完了している標準部品があれば、それを検索する。このような検索によって、部品を素材から全加工する必要がなくなり、その標準部品を用いた追加工のみによって当該物を製造することが可能となり、作業工程を極力少なくすることができる。
【００２９】
標準部品データベース１５は、標準部品別の標準カタログデータを蓄積したものであってもよい。例えば、標準部品を製造しているメーカは、当該標準部品の仕様を示すカタログデータを公開している。従って、このカタログデータを用いることにより、検索装置が受信した規格データを許容する標準部品を検索することが可能となる。図１の構成によれば、検索装置１は、インターネット３に接続されているので、当該標準部品を製造しているメーカの仕様データベース５へアクセスして、当該標準部品のカタログデータを取得することもできる。
【００３０】
検索手段１２は、機械別性能データベース１５を用いて、加工工程選定手段１０によって抽出された加工工程データ及び発注者側条件データに基づく当該物を製造することが可能な機械の機械識別名を検索する。
【００３１】
機械別性能データベース１５は、機械識別名毎に、該製造機械が製造可能な性能を示す性能データを蓄積している。性能データは、当該機械が製造することが可能な性能を、最大値と最小値との幅をもって表したものである。また、機械別性能データベースは、機械識別名毎に、製造側条件データも蓄積している。たとえ当該機械が様々な加工機能を有していても、その機械を所有する製造業者は、その全ての加工製品を製造しているのではなく、専門とする加工製品に特化しているのが通常である。従って、機械識別名毎に、その機械を所有する製造業者が、製造側条件データを指定することによって、受注可能な物の条件を更に限定することができる。この製造側条件データには、前述した機械識別名毎の性能データの限定だけでなく、当該機械を使用可能な期間及び製造価格等を指定することができる。
【００３２】
機械別性能データベース１５は、機械別の標準カタログデータを蓄積したものであることが好ましい。例えば、加工機械を製造しているメーカは、当該機械の製造可能な仕様を示すカタログデータを公開している。従って、このカタログデータを用いることにより、その機械が製造可能な規格データを検索することが可能となる。図１の構成によれば、検索装置１は、インターネット３に接続されているので、当該機械を製造している機械メーカの仕様データベース４へアクセスして、当該機械のカタログデータを取得することもできる。
【００３３】
図６は、製造業者毎に、所有する加工機械及び製造者側条件データが対応付けられたデータ構成図である。図６によれば、機械別性能データベース１５は、複数の機械識別名を１つの製造業者毎に構成しているが、更に複数の製造業者を１つのグループとしてそのグループ毎に構成することもできる。
【００３４】
図７は、加工機械毎に、性能データが対応付けられたデータ構成図である。
【００３５】
例えば、加工工程選定手段１０によって選定された工程２から４に対応して、以下のように選択される。尚、工程１は、標準部品が検索されたために、実施されないものとする。
（工程２）フライス盤としては、「日立製２ＭＷＶ」及び「エンシュウ製ＳＥＶ−ＤＸ」を選択することができる。これらは、前述のテーブル寸法の条件も満たしている。従って、図６によれば、これらのフライス盤を所有する製造業者Ａ及びＢの両者を選択することが可能となる。
（工程３及び４）マシニングセンタとしては、「大阪機工製ＨＭ４０」及び「日立精機製ＶＫＣ４５ＩＩ」を選択することができるが、「大阪機工製ＨＭ４０」は前述のテーブル寸法の条件を満たしていない。従って、図６によれば、「日立精機製ＶＫＣ４５ＩＩ」のマシニングセンタを所有する製造業者Ｂを選択することが可能となる。
【００３６】
図８は、加工工程管理手段１４による工程管理の説明図である。例えば、当該物について「納期は２月１１日」として発注側条件データに設定されていたとする。ここでは、標準部品を利用することにより、工程１を実施する必要がなく、工程２から４までを実施しなければならないとする。本来であれば、工程２から４までは、全て、製造業者Ｂが実施することが可能である。しかし、製造業者Ａのフライス盤及びマシニングセンタが既に予約済み（２月５日まで）であった場合、製造業者Ａに全ての工程２〜４（合計７日）を発注すると、納期までに間に合わない。但し、工程２については、製造業者Ａ及びＢの両者を選択することができる。そこで、加工工程管理手段１４は、工程２については、製造業者Ａのフライス盤で加工し、工程３及び４は、製造業者Ｂのマシニングセンタで加工するように工程管理を調整する。これにより、当該物の納期は、２月９日に納入することが可能となる。
【００３７】
履歴データベース１７は、発注者毎に、検索鍵となる規格データ及び発注側条件データと、検索結果となる機械識別名及び製造業者名とを保持したものである。検索結果を端末２へ送信する際に、検索識別子も送信する。発注者は、この検索識別子を用いて、過去に検索した情報を検索することが可能となる。これら履歴データは、当該検索識別子と共に、発注者を識別するためのパスワードによって保護されることが好ましい。
【００３８】
前述した本発明によれば、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【００３９】
【発明の効果】
以上、詳細に説明したように、本発明によれば、ＣＡＤ図面に記載された物を製造することが可能な製造機械を検索する検索装置及びプログラムを提供することができる。
【００４０】
発注者においては、当該物を製造する能力を有し、且つ、特別な要求に対応できる適切な受注業者又は加工機械を容易に検索することができる。従って、発注者と製造業者との間で、詳細な技術的な打ち合わせを必要としない。
【００４１】
一方、製造業者においては、高い製造能力を具体的に公表することが可能となり、不特定の発注者からの製造依頼を容易に受けることができる。
【図面の簡単な説明】
【図１】本発明によるシステム構成図である。
【図２】本発明を説明するために、例となるＣＡＤ図面である。
【図３】加工工程等の分類を説明するテーブルである。
【図４】本発明による、幾何公差記号と、加工内容及び加工機械とを対応付けたテーブルである。
【図５】図２の物を製造するための加工工程の流れ図である。
【図６】本発明による機械別性能データベースに蓄積された製造業者毎のデータ構成図である。
【図７】本発明による機械別性能データベースに蓄積された加工機械毎の性能データ構成図である。
【図８】加工工程管理手段による工程管理の説明図である。
【符号の説明】
１  検索装置
１０  加工工程選定手段
１１  標準部品抽出手段
１２  検索手段
１３  検索履歴管理手段
１４  加工工程管理手段
１５  機械別性能データベース
１６  標準部品データベース
１７  履歴データベース
２  端末、ＣＡＤシステム
３  インターネット
４  機械メーカの仕様データベース
５  標準部品メーカの仕様データベース
【図１】
0003644389.tif 000002
【図２】
0003644389.tif 000003
【図３】
0003644389.tif 000004
【図４】
0003644389.tif 000005
【図５】
0003644389.tif 000006
【図６】
0003644389.tif 000007
【図７】
0003644389.tif 000008
【図８】
0003644389.tif 000009